(57)【要約】【課題】  簡単なシステムを一時的に容易に施工することができると共にマンホール内及び下水路内全域で作業者が安全で安心し、作業ができる下水路系内作業安全装置を提供する。【解決手段】  マンホール内及びマンホールの底部に接続され略水平状に配置された下水路内を補修，点検する下水路系内作業安全装置において、マンホール１内のアンカーボルトに吊り下げられるブラケット４を有する合成樹脂製の梯子３がマンホール入口から下水路２内の底面に達するように配置され、梯子に沿ってマンホール内にレスキューロープ８がフック９により吊り下げられ、下水路の下流側に人体を受け止めるウォーターネット１０が張設されると共に下水路の側壁に少なくともマンホール底部からウォーターネットに至るレスキューロープ１１がフックにより張設された下水路系内作業安全装置。【選択図】図１
2011058323.tif 000002
【特許請求の範囲】
【請求項１】
マンホール内及びマンホールの底部に接続され略水平状に配置された下水路内を補修，点検する下水路系内作業安全装置において、マンホール内のアンカーボルトに吊り下げられるブラケットを有する合成樹脂製の梯子をマンホール入口から下水路内の底面に達するように配置し、該梯子に沿ってマンホール内にレスキューロープをフックにより吊り下げ、前記下水路の下流側に人体を受け止めるウォーターネットを張設すると共に下水路の側壁に少なくとも前記マンホール底部からウォーターネットに至るレスキューロープをフックにより張設したことを特徴とする下水路系内作業安全装置。
【請求項２】
前記梯子の横桟の両端に左右の色が異なる反射体を設置したことを特徴とする請求項１に記載の下水路系内作業安全装置。
【請求項３】
前記ウォーターネットの下方が開放されていることを特徴とする請求項１に記載の下水路系内作業安全装置。
【請求項４】
地上に三脚パイプを設置し、該三脚パイプの上方にセイフティブロックを吊り下げたことを特徴とする請求項１に記載の下水路系内作業安全装置。
【発明の詳細な説明】
【技術分野】
【０００１】
本発明は、マンホール内及びマンホールの底部に接続され略水平状に配置された下水路内を補修，点検する下水路系内作業安全装置に関するものである。
【背景技術】
【０００２】
従来，マンホール内及びマンホールの底部に接続され略水平状に配置された下水路内を補修，点検する下水路系内作業安全装置であって、マンホールに取り付けられる固定梯子と、該固定梯子にスライド昇降させる伸縮梯子と、該伸縮梯子に収納可能に設けられた横倒材と、該横倒材に収納可能に設けられた安全柵とからなるものがある（例えば特許文献１参照。）。
【先行技術文献】
【特許文献】
【０００３】
【特許文献１】特許第３５３４５４１号公報
【発明の概要】
【発明が解決しようとする課題】
【０００４】
ところで、前記先行技術の下水路系内作業安全装置では、梯子及び安全柵の構造が複雑であり安全装置の設置が容易でないと共に下水路内を特定した作業安全装置であるという問題がある。
【０００５】
本発明は、従来の技術の有するこのような問題点に鑑みてなされたものであり、その目的とするところは、最近のマンホール及び下水路内の酸欠の事故やゲリラ豪雨などの予期せぬ事態による事故が多いことを鑑み、簡単なシステムを一時的に容易に施工することができると共にマンホール内及び下水路内全域で作業者が安全で安心し、作業ができる下水路系内作業安全装置を提供しようとするものである。
【課題を解決するための手段】
【０００６】
上記目的を達成するために、本発明における下水路系内作業安全装置は、マンホール内のアンカーボルトに吊り下げられるブラケットを有する合成樹脂製の梯子をマンホール入口から下水路内の底面に達するように配置し、該梯子に沿ってマンホール内にレスキューロープをフックにより吊り下げ、前記下水路の下流側に人体を受け止めるウォーターネットを張設すると共に下水路の側壁に少なくとも前記マンホール底部からウォーターネットに至るレスキューロープをフックにより張設したものである。
【０００７】
また、前記梯子の横桟の両端に左右の色が異なる反射体を設置したものである。
【０００８】
また、前記ウォーターネットの下方が開放されているものである。
【０００９】
また、地上に三脚パイプを設置し、該三脚パイプの上方にセイフティブロックを吊り下げたものである。
【発明の効果】
【００１０】
請求項１に記載の下水路系内作業安全装置は、簡単なシステムを一時的に容易に施工することができると共にマンホール内及び下水路内全域で作業者が安全で安心し、作業ができる下水路系内作業安全装置となる。
【００１１】
また、請求項２に記載の下水路系内作業安全装置は、前記請求項１の効果に加え、暗いマンホール内の梯子の昇降でも足・手掛けのホールド巾が反射体により確立されると共に下水路内の水流の上下流が確認でき、より安全で安心な作業及び昇降ができる下水路系内作業安全装置となる。
【００１２】
また、請求項３に記載の下水路系内作業安全装置は、前記請求項１の効果に加え、下水路内に流れるゴミ等のウォーターネットへの付着を防止し、下水路内の水流の妨げを無くすことが可能となり作業の安全性に繋がる下水路系内作業安全装置となる。
【００１３】
また、請求項４に記載の下水路系内作業安全装置は、前記請求項１の効果に加え、マンホールが深いものであっても作業者の梯子からの墜落をより確実に防止し、作業者は梯子上の作業をより安心して行える下水路系内作業安全装置となる。
【図面の簡単な説明】
【００１４】
【図１】本発明に係る下水路系内作業安全装置を下水路系の一部に設置した概略説明図である。
【図２】下水路が円管である断面概略図である。
【図３】梯子固定部の拡大斜視図である。
【図４】セイフティブロックの設置説明斜視図である。
【発明を実施するための形態】
【００１５】
マンホール内のアンカーボルトに吊り下げられるブラケットを有する合成樹脂製の梯子をマンホール入口から下水路内の底面に達するように配置し、該梯子に沿ってマンホール内にレスキューロープをフックにより吊り下げ、前記下水路の下流側に人体を受け止めるウォーターネットを張設すると共に下水路の側壁に少なくとも前記マンホール底部からウォーターネットに至るレスキューロープをフックにより張設した下水路系内作業安全装置である。
【実施例】
【００１６】
図１ないし図４は本発明の実施例に関するものであり、図１は下水路系内作業安全装置を下水路系の一部に設置した概略説明図、図２は下水路が円管である断面概略図、図３は梯子固定部の拡大斜視図、図４はセイフティブロックの設置説明斜視図である。
【００１７】
図において、１はマンホールであり、該マンホール１の底部には略水平状に配置された下水路２が接続されている。
前記下水路２は、図１に示すような角管または図２に示すような円管である。
【００１８】
３は合成樹脂製の梯子であり、該梯子３には金属製のブラケット４が梯子３の縦桟５，５間に一定間隔で設置されている。
前記ブラケット４の中央部下方には逆U字状の孔６が穿設され、該孔６にアンカーボルト７をマンホール１の内壁に打ち込むことにより、梯子３はマンホール１の入口から下水路２内の底面に達するように固定配置されている。
【００１９】
８はレスキューロープであり、該レスキューロープ８は前記梯子３に沿ってマンホール１の内壁に打ち込まれたフック９，９によりマンホール内に吊り下げられている。
【００２０】
１０は強化繊維（例えばナイロン）製のウォーターネットであり、該ウォーターネット１０は前記下水路２の下流側で人体（作業者）を受け止めることができるように、下水路２の内壁に打ち込まれた複数のフック９，９，…で張設されている。
なお、前記ウォーターネット１０は、図１に示すような四角形または図２に示すような多角形（例えば六角形）または円形など下水路２の形状に合わせてウォーターネット１０の形状で使用することが可能である。
【００２１】
１１は下水路２内に張設されるレスキューロープであり、該レスキューロープ１１は前記下水路２の側壁に少なくとも前記マンホール１の底部から前記ウォーターネット１０に至るまでフック９，９により張設されている。
【００２２】
以上のような構成からなる下水路系内作業安全装置は、マンホール１内及びマンホール１の底部に接続され略水平状に配置された下水路２内を補修，点検する際、特に内周を補修する際に、一時的に施工する事により事故を防ぎ、作業を安全にするものである。
上述のように梯子３はブラケット４に穿設された孔６にアンカーボルト７を打ち込むことにより、マンホール１の内壁に簡単に固定されると共にマンホール１内に工事用機器等を搬入する場合には梯子３を容易に外すことができるものである。
【００２３】
また、前記レスキューロープ８にスライドタイプの落下防止機器１２の一端側を設置し、他端側を梯子３を昇降する作業者Aが装着する安全帯ハーネスタイプ１３に掛けることにより、万が一事故等が起きた場合にはレスキューロープ８に設置したスライドが瞬時にストッパーとなり作業者Aの墜落を防止し、作業者Aは梯子３上の作業を安心して行えるものとなる。
【００２４】
そして、前記下水路２内の作業においては、前記レスキューロープ１１に作業者Bが装着する安全帯ベルトタイプ１４から延びるフックを挿通することにより、作業者Bは下水路２内の作業を安心して行えるものとなる。
万が一事故等が起きた場合には、前記下水路２内に張設されたウォーターネット１０により人体を受け止め瞬時に救出することができるものである。
また、ウォーターネット１０の設置は複数のフック９，９，…で固定していることにより簡単に脱着が可能である。
【００２５】
このように設置された下水路系内作業安全装置は、マンホール内及び下水路内の全域で作業者が安全で安心し、作業ができるものとなる。
【００２６】
なお、本実施例において、マンホール１の昇降に梯子３を使用したが、複数のステップを使用することにより固定箇所の自由さを可能とするものである。
【００２７】
また、図３に示すように、前記梯子３の横桟１５，１５，…の両端に左右で色が異なる反射体（例えば左が緑色で右が赤色）１６，１７を設置し、緑色の反射体１６は下水路２の下流側の印と、赤色の反射体１７は上流側の印とすることができる。
【００２８】
この場合、暗いマンホール１内の梯子３の昇降でも足・手掛けのホールド巾が反射体１６，１７により確立されると共に下水路２内の水流の上下流が確認でき、より安全で安心な作業及び昇降ができるものとなる。
【００２９】
また、図１に示すように、前記ウォーターネット１０の下方を開放させることにより、下水路２内に流れるゴミ等のウォーターネット１０への付着を防止し、下水路２内の水流の妨げを無くすことが可能となり作業の安全性に繋がることとなる。
【００３０】
さらに、図４に示すように、地上に三脚パイプ１８を設置し、該三脚パイプ１８の上方にセイフティブロック１９を吊り下げ、該セイフティブロック１９に接続されているフックを作業者Ｃが装着する安全帯ハーネスタイプ１３に掛けるものとする。
【００３１】
この場合、マンホール１が深いものであっても作業者Ｃの梯子３からの墜落をより確実に防止し、作業者Ｃは梯子３上の作業をより安心して行えるものとなる。
【符号の説明】
【００３２】
１                  マンホール
２                  下水路
３                  梯子
４                  ブラケット
７                  アンカーボルト
８，１１            レスキューロープ
９                  フック
１０                ウォーターネット
１５                横桟
１６，１７          反射体
１８                三脚パイプ
１９                セイフティブロック
【図１】
2011058323.tif 000003
【図２】
2011058323.tif 000004
【図３】
2011058323.tif 000005
【図４】
2011058323.tif 000006